(57)【要約】【課題】  パケット通信の回線遅延によるスループット低下およびＬＡＰＢリンクの異常によるスループットの低下を抑止して、高速なパケット通信方式を提供する。【解決手段】  Ｘ．２５プロトコルを有さない端末装置と接続されるＸ．２５パケット―ＩＰパケット変換装置１と、Ｘ．２５プロトコルを有する端末装置とをＸ．２５パケット網を介して接続する高速パケット通信方法であって、前記Ｘ．２５パケット―ＩＰパケット変換装置か１ら、送信するデータの順に順次並べられた複数のデータパケット（ＤＴ１〜ＤＴ４）を１つのかたまりとして、Ｘ．２５パケット網からの応答ＲＲ１〜ＲＲ４（Ｓ６〜Ｓ）を待たずに送出（Ｓ１〜Ｓ４）する。【選択図】      図３
2005277676.tif 000002
【特許請求の範囲】
【請求項１】
Ｘ．２５プロトコルを有さない端末装置と接続されるパケット変換装置と、Ｘ．２５プロトコルを有する端末装置とをＸ．２５パケット網を介して接続する高速パケット通信方法であって、
前記パケット変換装置から、送信するデータの順に順次並べられた複数のデータパケットを１つのかたまりとして、Ｘ．２５パケット網からの応答を待たずに送出することを特徴とする高速パケット通信方法。
【請求項２】
請求項１に記載の高速パケット通信方法において、パケット変換装置からＸ．２５パケット網へ送出される１つのかたまりとされた複数のデータパケットの内の先頭のパケットに対する送達確認応答をＸ．２５パケット網から受けたときに、次の１つのかたまりのデータパケットを順次送出することを特徴とする高速パケット通信方法。
【請求項３】
請求項１又は請求項２に記載の高速パケット通信方法において、Ｘ．２５パケット網が、パケット変換装置から受信したデータパケットに付されたシーケンス番号を監視して、受信したデータパケットのシーケンスに脱落があるときにシーケンス番号不一致からの回復処理の実行を要求するＲＱパケットをパケット変換装置へ送出することを特徴とする高速パケット通信方法。
【請求項４】
請求項３に記載の高速パケット通信方法において、パケット変換装置が、前記１つのかたまりのデータパケットに対してＸ．２５パケット網からシーケンス番号不一致からの回復処理の実行を要求するＲＱパケットを受信したときに、既に送出した前記１つのかたまりのデータパケットをＸ．２５パケット網へ再送することを特徴とする高速パケット通信方法。
【請求項５】
請求項１に記載の高速パケット通信方法において、パケット変換装置とＸ．２５パケット通信網との間にＬＡＰＢリンクが確立した状態で、ユーザデータ通信が行われないときに、パケット変換装置からポーリングパケットをＸ．２５パケット網に送信し、所定時間Ｘ．２５パケット網から応答がなかったときに無通信異常と判断することを特徴とする高速パケット通信方法。
【請求項６】
請求項５に記載の高速パケット通信方法において、パケット変換装置が無通信異常と判断したときに、網障害通知（ＳＡＭＢ）をＸ．２５パケット網へ送出することを特徴とする高速パケット通信方法。
【請求項７】
請求項１ないし請求項６のいずれか１項に記載された高速パケット通信方法を実現するパケット変換装置において、Ｘ．２５パケット網からの送達確認応答パケットを待たずに１つのかたまりの複数のデータパケットを順次Ｘ．２５パケット網へ送出する機能を有することを特徴とするパケット変換装置。
【請求項８】
請求項７に記載のパケット変換装置において、１つのかたまりの複数のデータパケットを順次Ｘ．２５パケット網へ送出する機能と、Ｘ．２５パケット網からの送達確認応答パケットを検出する機能と、既に送出した１つのかたまりの複数のデータパケットの先頭のデータパケットに対する送達確認応答パケットを受信すると次の１つのかたまりの複数のデータパケットを送信する機能を有することを特徴とするパケット変換装置。
【請求項９】
請求項８記載のパケット変換装置において、Ｘ．２５パケット網からシーケンス番号不一致からの回復処理の実行を要求するＲＱパケットを受信したときに、既に送出した１つのかたまりの複数のデータパケットを再送する機能を有することを特徴とするパケット変換装置。
【請求項１０】
請求項７ないし請求項９のいずれか１項に記載のパケット交換装置において、パケット交換装置とＸ．２５パケット網との間にＬＡＰＢリンクが確立した状態でユーザデータ通信が行われないときに、ポーリングパケットをＸ．２５パケット網に送出する機能と、所定時間Ｘ．２５パケット網から応答がなかったときに無通信異常と判断する機能を有することを特徴とするパケット変換装置。
【請求項１１】
請求項１０に記載のパケット交換装置において、無通信異常と判断したときに、網障害通知（ＳＡＭＢ）をＸ．２５パケット網へ送出する機能を有することを特徴とするパケット変換装置。
【発明の詳細な説明】
【技術分野】
【０００１】
本発明は、パケット通信の回線遅延によるスループット低下およびＬＡＰＢリンクの異常によるスループット低下を抑止した高速パケット通信方法およびこの高速パケット通信方法を実現するパケット交換装置に関する。
【背景技術】
【０００２】
従来のパケット通信における再送制御方法として、動作開始時に適当な再送回数上限値Ｎｖを設定しておき、パケット通信にエラーを生じた場合は設定した回数上限値Ｎｖまで再送動作を繰り返す際、再送回数の移動平均値である移動平均値サンプル数Ｍ内のパケットごとの再送動作回数Ｎｒを監視し、再送動作回数Ｎｒが再送回数上限値Ｎｖに達した場合の上限値到達回数Ｎｃを取得する上限値到達回数取得段階と、移動平均サンプル数Ｍおよび上限値到達回数Ｎｃの比率Ｍｃ／Ｍがあらかじめ設定した増加判断基準値Ａ以上であれば再送回数上限値Ｎｖを増加しあらかじめ設定した低減判断基準値Ｂ以下であれば再送回数上限値Ｎｖを低減する再送回数上限値可変制御段階とを実行することが提案されている（例えば、特許文献１参照）。
【０００３】
パケット通信で規定されている再送制御は、回線品質の悪いアナログ回線時代の通信を元に考えられており送信相手からの送達確認が返送されない場合、物理回線上の空きがあっても送信をしないため、物理回線の速度を十分生かしきれない場合がある。
【０００４】
すなわち、サーバが接続されたルータ９と網３との間のレイヤ３レベルでの送達確認制御は、従来、図６の送達確認シーケンス図に示すように行われていた。サーバ２が接続されたルータ９とＸ．２５パケット網３の間では、ルータ９が網３に向けてＤＴパケット（ＤＴ１）を送信する（Ｓ７１）と、ＤＴ１を受信した網３から送達確認であるＲＲパケット（ＲＲ１）が送出される（Ｓ７２）。このＲＲ１を受信することによって、ルータ９は次のＤＴパケット（ＤＴ２）を網３に向けて送信する（Ｓ７３）。ＤＴ２を受信した網３からＲＲ２を受信する（Ｓ７４）と、ルータ９は次のＤＴパケットを送信する。このようにしてルータ９は、ＤＴパケットを送信した後このＤＴパケットに対する送達確認ＲＲパケットを受信するまで、次のＤＴパケットを送信することができない。
【０００５】
また、非同期平衡型通信において、通信装置や回線への付加が少ない無通信監視方法として、無通信監視タイマーを備え、相手局の部通信状態を検出し、相手局にポーリングフレームを送信し相手局が応答を返してくるかを監視することによる相手局ダウン監視を行う場合に、相手局が送信する自局宛フレーム有無以外に相手局が送信した他局宛フレームの有無も監視し、相手局の無通信状態を検出することが提案されている（例えば、特許文献２参照）。この技術では、ＬＡＰＢリンクが確立した状態で、ユーザデータ通信がない場合にＬＡＰＢリンクの監視を行わない場合、状態不一致となる通信異常状態となってしまう。
【０００６】
図７のＬＡＰＢリンクシーケンス図を用いて、ＬＡＰＢリンクが確立した状態で、ユーザデータ通信が無いときの従来技術の場合を説明する。この場合は、網３から最終パケットＩを受信すると（Ｓ８１）、ルータ９は、ＲＲパケットを送出する（Ｓ８２）。ＲＲパケットを送信後、網３でＬＡＰＢのリンクを切断しないまま障害が発生してもルータ３からデータ通信が無い場合、ＬＡＰＢリンクの異常を検出することができず、サーバ２へ障害通知をすることができない。そのため、サーバ２は網３へデータ送信を行うまで状態不一致を検出することが不可能となる。さらに、サーバ２にて接続されているリンク数を制限している場合は、接続できるリンク数が減少してしまうという問題がある。
【０００７】
パケット通信網は、階層化された交換機および階層化された通信伝送路でネットワークが構成されているため、大きな遅延が発生する場合がある。遅延発生の要因としては物理的な伝送路遅延、回線速度による転送遅延、交換機での処理遅延などが上げられる。最近の回線では高速化されていることから伝送路遅延および転送遅延は大きなウエイトを占めないが、交換機の処理遅延は多段構成されたネットワークでは特に増加傾向にある。この交換機の処理遅延は、パケット交換におけるパケットを認識するためにＨＤＬＣの開始終了フラグを認識してから交換動作に入るためある程度避けられない遅延である。
【０００８】
また、高速なＡＴＭ回線を使用した場合であっても、ＡＡＬ５を使用した通信では同じようにフレーム（ＡＴＭセル）の開始、終了を認識してから交換動作に入るので、同じように遅延が発生する。このような要因で遅延が大きく発生した場合、回線速度に対して期待したスループットが得られないおそれがある。期待したスループットが得られない大きな原因は、レイヤ２またはレイヤ３レベルでの終端ポイントで再送制御などのために送信データパケットのウインドサイズおよびデータの送達確認およびデータ受信可能を示すための応答を待っているが、回線遅延が大きいことからその応答が遅くなることに起因する。
【０００９】
回線品質が悪い回線ではビットエラーによる再送制御が頻繁に発生する可能性があるが、現在のデジタル化された回線でのビットエラーレートは１０−１０程度である。勿論、高信頼性を求めるのであれば１０−１０程度のビットエラーに対応すべく再送制御および送達確認制御を厳密に行う必要があるが、最近では伝送装置での再送制御の他に最終端末間での再送制御が行われるのが一般的である。
【００１０】
このように、最終端末区間での再送制御が行われる通信システムでは、その間に入る伝送装置間のレイヤ２およびレイヤ３での再送制御および送達確認を一部省略することで飛躍的にスループットを向上させることが可能である。
【００１１】
また、ＬＡＰＢリンクが確立した後の状態で、ユーザデータ通信が無い場合には、網３のＬＡＰＢリンクの異常を検出できないおそれがある。ＬＡＰＢリンクが確立後のＬＡＰＢリンクの異常検出の監視を行うことによりユーザデータ通信が無い状態にて網３のＬＡＰＢリンクの異常による状態不一致を検出し、同状態の回復、複数リンク接続においては別リンクへの移行を行うことによりスループットを向上させることが可能である。
【特許文献１】特開平１１−２７５１７９号公報
【特許文献２】特開平９−１４９０５７号公報（図１）
【発明の開示】
【発明が解決しようとする課題】
【００１２】
本発明は、パケット通信の回線遅延によるスループット低下およびＬＡＰＢリンクの異常によるスループットの低下を抑止して、高速なパケット通信方式を提供することを目的とする。
【課題を解決するための手段】
【００１３】
上記課題を解決するために、本発明は、相手からの送達確認がなくても、それは回線遅延により送達確認の応答が遅れていると考え、物理回線に空きがある場合には連続して１フレーム分のパケットを送信する。このことによって、物理回線速度を十分生かしきった通信が可能となる。
【００１４】
また、ＬＡＰＢリンクが確立した状態で、ユーザデータ通信が無い場合にＬＡＰＢリンク異常を検出することで、状態不一致の回復、複数リンク接続している場合においての別リンクへの移行をすることにより効率の良い高速パケット通信が実現可能となる。
【００１５】
すなわち、本発明は、Ｘ．２５プロトコルを有さない端末装置と接続されるパケット変換装置と、Ｘ．２５プロトコルを有する端末装置とをＸ．２５パケット網を介して接続する高速パケット通信方法であって、前記パケット変換装置から、送信するデータの順に順次並べられた複数のデータパケットを１つのかたまりとして、Ｘ．２５パケット網からの応答を待たずに送出するようにした。
【００１６】
本発明は、上記高速パケット通信方法において、パケット変換装置からＸ．２５パケット網へ送出される１つのかたまりとされた複数のデータパケットの内の先頭のパケットに対する送達確認応答をＸ．２５パケット網から受けたときに、次の１つのかたまりのデータパケットを順次送出するようにした。
【００１７】
本発明は、上記高速パケット通信方法において、Ｘ．２５パケット網が、パケット変換装置から受信したデータパケットに付されたシーケンス番号を監視して、受信したデータパケットのシーケンスに脱落があるときにシーケンス番号不一致からの回復処理の実行を要求するＲＱパケットをパケット変換装置へ送出するようにした。
【００１８】
本発明は、上記高速パケット通信方法において、パケット変換装置が、前記１つのかたまりのデータパケットに対してＸ．２５パケット網からシーケンス番号不一致からの回復処理の実行を要求するＲＱパケットを受信したときに、既に送出した前記１つのかたまりのデータパケットをＸ．２５パケット網へ再送するようにした。
【００１９】
本発明は、上記高速パケット通信方法において、パケット変換装置とＸ．２５パケット通信網との間にＬＡＰＢリンクが確立した状態で、ユーザデータ通信が行われないときに、パケット変換装置からポーリングパケットをＸ．２５パケット網に送信し、所定時間Ｘ．２５パケット網から応答がなかったときに無通信異常と判断するようにした。さらに、本発明は、この高速パケット通信方法において、パケット変換装置が無通信異常と判断したときに、網障害通知（ＳＡＭＢ）をＸ．２５パケット網へ送出するようにした。
【００２０】
本発明は、上記高速パケット通信方法を実現するパケット変換装置において、Ｘ．２５パケット網からの送達確認応答パケットを待たずに１つのかたまりの複数のデータパケットを順次Ｘ．２５パケット網へ送出する機能を備えた。
【００２１】
また、本発明は、上記パケット変換装置において、１つのかたまりの複数のデータパケットを順次Ｘ．２５パケット網へ送出する機能と、Ｘ．２５パケット網からの送達確認応答パケットを検出する機能と、既に送出した１つのかたまりの複数のデータパケットの先頭のデータパケットに対する送達確認応答パケットを受信すると次の１つのかたまりの複数のデータパケットを送信する機能を備えた。さらに、本発明は、このパケット変換装置において、Ｘ．２５パケット網からシーケンス番号不一致からの回復処理の実行を要求するＲＱパケットを受信したときに、既に送出した１つのかたまりの複数のデータパケットを再送する機能を備えた。
【００２２】
本発明は、上記パケット交換装置において、パケット交換装置とＸ．２５パケット網との間にＬＡＰＢリンクが確立した状態でユーザデータ通信が行われないときに、ポーリングパケットをＸ．２５パケット網に送出する機能と、所定時間Ｘ．２５パケット網から応答がなかったときに無通信異常と判断する機能をそなた。また、本発明は、このパケット交換装置において、無通信異常と判断したときに、網障害通知（ＳＡＭＢ）をＸ．２５パケット網へ送出する機能を備えた。
【発明の効果】
【００２３】
上述のように、本発明によれば、パケット通信にて回線遅延の影響で物理回線速度を十分に使用できなかった問題を克服することが可能となる。
尚、実施例ではレイヤ３レベル又はレイヤ２レベルでの制御を説明したが同じようにレイヤ２レベル、レイヤ３レベルでも行うことが可能であり、その実用効果は大きい。
【発明を実施するための最良の形態】
【００２４】
以下、図面を参照して本発明の実施例を詳細に説明する。図１は、本発明にかかるパケット通信方法が適用されるパケット通信システムの構成例を示す。パケット通信システムは、サーバ２をＸ．２５パケット―ＩＰパケット変換装置１を介してＸ．２５パケット網３に接続し、対向するＸ．２５端末装置４に接続して構成される。サーバ２は、Ｘ．２５パケット―ＩＰパケット変換装置１の上位に位置する装置で、Ｘ．２５パケット通信プロトコルを持っていない。Ｘ．２５パケット―ＩＰパケット変換装置１がＸ．２５パケット通信プロトコルを実行する。
【００２５】
Ｘ．２５パケット―ＩＰパケット変換装置１と上位装置であるサーバ２とのインタフェースはＬＡＮを用いている。
【００２６】
図２を用いて、Ｘ．２５パケット―ＩＰパケット変換装置１の構成を説明する。Ｘ．２５パケット―ＩＰパケット変換装置１は、主制御部１１と、ＬＡＮインタフェース１２と、レイヤ３網通信制御部１３と、レイヤ２網通信制御部１４と、パケット網インタフェース１５とを有して構成される。
【００２７】
主制御部１１は、Ｘ．２５パケット―ＩＰパケット変換装置１全体を制御する手段である。
【００２８】
ＬＡＮインタフェース１２は、Ｘ．２５パケット通信プロトコルを持たない上位位置とのインタフェースとして働くＬＡＮ制御部である。
【００２９】
レイヤ３網通信制御部１３は、Ｘ．２５パケット通信のレイヤ３制御を行う手段であり、ＩＰデータをＤＴパケット化し、ＤＴパケットをＩＰデータ化する手段である。このために、レイヤ３網通信制御部１３は、ＤＴパケットを１フレーム分順次送出する機能と、網３が送信したＸ．２５パケットからＲＲパケットまたはＲＱパケットを検出する機能と、ＲＦパケット又はポーリングパケットであるＲＲパケット（Ｐ＝１）を送出する機能と、ＲＲパケット（Ｐ＝１）を送信した後所定の時間経過しても網３から応答を得られなかったときに無通信異常と判断してサーバへ無通信異常報告を通知する機能と、無通信異常と判断したときに網障害通知（ＳＡＭＢ）を網へ送信する機能と、ＳＡＭＢを送信した後、網３から応答がないときに、網障害の発生と判断してサーバへ網障害を通知する機能を有している。
【００３０】
レイヤ２網通信制御部１４は、Ｘ．２５パケット通信のレイヤ２制御を行う手段であり、網からレイヤ２のＩフレームを検出する機能と、網３へＲＲパケットを送出する機能とを有している。
【００３１】
パケット網インタフェース１５は、Ｘ．２５パケット網との物理インタフェースを制御する網インタフェース部である。
【００３２】
図３の送達確認シーケンス図を用いて、本発明におけるもうからの送達確認を待たずにデータを送信する方法を説明する。この例では、送達確認が必要なウインドウサイズを４ＤＴパケット分で規定した場合を例にとっている。本発明においては、Ｘ．２５パケット―ＩＰパケット変換装置１は、回線の品質が高いことを前提として、送信したＤＴパケットに対する網３からの送達確認を待たずに、次々とＤＴパケットを１ウインドウ分（ＤＴ１〜ＤＴ４）送出する（Ｓ１〜Ｓ４）。網３では受信したＤＴパケットに対して順次ＲＲパケット（ＲＲ１〜ＲＲ４）を送信する（Ｓ５〜Ｓ８）。最初のＤＴパケット（ＤＴ１：Ｓ１）に対する送達確認（ＲＲ１：Ｓ５）を受信したＸ．２５パケット―ＩＰパケット変換装置１は、次のＤＴパケットを順次１ウインドウ分（ＤＴ５〜ＤＴ８）送信する（Ｓ９〜Ｓ１２）。この間に網３からは１ウインドウ分の残りの送達確認（ＲＲ２〜ＲＲ４）を受信する（Ｓ６〜Ｓ８）。このようにして、本発明の方法では、相手からの送達確認を待たずに次々とＤＴパケットを送信するので回線速度を有効に利用した通信が可能となる。この例では、ウインドウサイズを４ＤＴパケット分としたが、ウインドウサイズは２〜７ＤＴパケット分とすることができる。
【００３３】
但し、この方法においても、物理回線速度以上のデータを送出することはできないので、Ｘ．２５パケット―ＩＰパケット変換装置１の主制御部１１がパケット網の状態を監視して、回線にパケットを送出できない状態であるかを監視して、送出できない状態であればレイヤ２網通信制御部、レイヤ３網制御部に対してのフロー制御を行う。
【００３４】
本発明においては、回線品質が高いといってもパケットロスの発生が０になることはありえないので、パケットロス時の処理を考える必要がある。図４を用いて、パケットロスが発生した場合の回復方法を説明する。
【００３５】
Ｘ．２５パケット―ＩＰパケット変換装置１は、最初の１フレーム分のＤＴパケット（ＤＴ１〜ＤＴ４）を網に向けて送信する（Ｓ１〜Ｓ４）。このときＤＴ２にパケットロスが発生したとすると、網３ではＤＴ１に対する送達確認ＲＲ１を送り出した（Ｓ２５）後、ＤＴ２を受信せずにＤＴ３を受信したことによって、ＤＴ２にパケットロスが発生したことを判断し、Ｘ．２５パケット―ＩＰパケット変換装置１へリビット要求（シーケンス番号不一致からの回復をはかるためのＲＱパケット）を送信する（Ｓ２６）とともに、受信したＤＴ１、ＤＴ３、ＤＴ４を廃棄する。パケットロス発生の網３での判断は、受信したパケットのシーケンス番号を用いてチェックすることができる。
【００３６】
Ｘ．２５パケット―ＩＰパケット変換装置１は、最初のＤＴ１を送信した後ＤＴ１に対するＲＲ１（Ｓ２５）を受信した状態で、第２の１フレーム分のＤＴパケット（ＤＴ５〜ＤＴ８）を網に向けて送信する（Ｓ２８〜Ｓ３１）。
【００３７】
第１のフレームのＤＴ１に対するＲＲ１（Ｓ２５）を受信して第２のフレームのＤＴパケット（ＤＴ５〜ＤＴ８）の送信（Ｓ２６〜Ｓ２９）を開始した後にＲＱパケットを受信（Ｓ３０）したＸ．２５パケット―ＩＰパケット変換装置１は、ＲＦパケットを網に向けて送信（Ｓ３１）した後、ＤＴ５に対するＲＲ５を受信（Ｓ３２）すると、第１の１フレーム分のＤＴパケット（ＤＴ１〜ＤＴ４）を網に向けて再送する（Ｓ３６〜Ｓ３９）。この間に網３からＤＴ６〜ＤＴ８に対するＲＲ６〜ＲＲ８を受信する（Ｓ３３〜Ｓ３５）。
【００３８】
このように、網３において、パケット内のシーケンス番号をチェックすることによってパケットロスの発生を見出すことが可能となるので、パケットロスを検出した網側ではシーケンス番号不一致状態から回復するためにＲＱパケットを送出し、ＲＱパケットを受信したＸ．２５パケット―ＩＰパケット変換装置１側ではＲＦパケットにてシーケンス番号不一致状態からの回復を行うことができる。Ｘ．２５パケット―ＩＰパケット変換装置１側で再送制御が行われるので通信異常状態が継続することはない。
【００３９】
図５を用いて、本発明におけるＬＡＰＢリンクが確立した状態で、ユーザデータ通信が無い場合にＬＡＰＢリンク異常を検出する手法を説明する。網３から最終パケットを意味するＩフレーム（Ｓ５１）を受信したＸ．２５パケット―ＩＰパケット変換装置１は、ＲＲパケットを送出する(Ｓ５２)。その後Ｘ．２５パケット―ＩＰパケット変換装置１は、ポーリングパケット（ＲＲパケットＰ＝１）を１フレーム分送信（Ｓ５３〜Ｓ５６）してポーリング起動を行う。
【００４０】
ポーリング起動に対して網３から応答がないとき、Ｘ．２５パケット―ＩＰパケット変換装置１は、サーバ側へ無通信異常報告を通知（Ｓ５７）するとともに、サーバ側への網障害通知（ＳＡＭＢ）を１フレーム分送信（Ｓ５８〜Ｓ６１）する。これに対して網３から応答がないときには、網障害の発生と判断して、サーバ側へ網障害発生を通知（Ｓ６２）する。
【００４１】
すなわち、最終パケット（Ｉフレーム）受信（Ｓ５１）時に、無通信監視タイマーを設定し、ある一定時間（構成情報で設定）ＬＡＰＢフレームの送信が無い場合、Ｘ．２５パケット―ＩＰパケット変換装置１からＬＡＰＢレベルで、Ｐビット＝１のポーリングパケット（ＲＲ）を網３に送出し（Ｓ５３〜Ｓ５６）、ＲＲの応答が正常に戻るか監視を行う。応答が無い場合、ポーリングパケット（Ｓ５３〜Ｓ５６）を間隔Ｔ１で２回再送し、それでも応答がなければ、網３へＳＡＢＭパケットを送信（Ｓ５８〜Ｓ６１）し、サーバ２へ無通信異常報告（Ｓ５７）を行う。
【００４２】
無通信異常報告を受信したサーバ２は、それを契機にサーバ２からＸ．２５パケット―ＩＰパケット変換装置１に対してリンク解放の手順を起動させる。ＳＡＢＭの応答が無い場合、ＳＡＭＢパケット（Ｓ５８〜Ｓ６１）を間隔Ｔ１で２回再送を行い、網３の異常を検出してＸ．２５の呼が存在していれば、Ｘ／２５の呼の解放を行い、サーバ２へＸ．２５の呼の解放およびリンクの解放の意味の網障害通知を行い、Ｘ．２５パケット―ＩＰパケット変換装置１からリンク解放を行うことが可能である。
【図面の簡単な説明】
【００４３】
【図１】本発明のＸ．２５パケット網を介した通信システムの構成を説明する図。
【図２】本発明の通信方法を実現するＸ．２５パケット―ＩＰパケット変換装置の構成を説明するブロック図。
【図３】本発明の高速パケット通信方法におけるＸ．２５プロトコルの送達確認シーケンス図。
【図４】本発明の高速パケット通信方法におけるパケットロス発生時の回復シーケンス図。
【図５】本発明の高速パケット通信方法におけるＬＡＰＢリンク異常検出シーケンス図。
【図６】従来技術のＸ．２５プロトコルの送達確認のシーケンス図。
【図７】従来技術のＬＡＰＢリンクシーケンス図。
【符号の説明】
【００４４】
１  Ｘ．２５パケット―ＩＰパケット変換装置
２  上位のサーバ装置
３  Ｘ．２５例や３パケット網
４  Ｘ．２５端末装置
９  ルータ
１１  主制御部
１２  ＬＡＮインタフェース処理部
１３  Ｘ．２５レイヤ３網通信制御部
１４  Ｘ．２５レイヤ２網通信制御部
１５  パケット網制御部
ＤＴ  送信パケット
ＲＲ  送達確認応答
ＲＱ  シーケンス番号回復処理要求パケット
ＲＦ  ＲＱパケットに対する応答パケット
ＲＲ（Ｐ＝１）  ポーリング監視パケット
無通信異常報告
ＳＡＭＢ  網障害通知
【図１】
2005277676.tif 000003
【図２】
2005277676.tif 000004
【図３】
2005277676.tif 000005
【図４】
2005277676.tif 000006
【図５】
2005277676.tif 000007
【図６】
2005277676.tif 000008
【図７】
2005277676.tif 000009